(57)【要約】【課題】土起こし器を土起こし器本体と刃物部材に分け、突刺し刃が破損又は磨耗した場合の取り替えや、土質の違いに対して適応した刃物部材を選択して使用することができる土起こし器を提供する。【解決手段】土起こし器本体２の先端に複数本が並列状態で下方に突出する突刺し刃９を設け、前記土起こし器本体２と突刺し刃９の背面側の位置に支点用パイプ４を設けた土起こし器であって、前記突刺し刃９を備えた刃物部材３を土起こし器本体２と別体に形成し、この刃物部材３を土起こし器本体２に対して取外し可能に固定した。【選択図】図１
2013085526.tif 000002
【特許請求の範囲】
【請求項１】
土起こし器本体の先端に複数本が並列状態で突出する突刺し刃を設け、前記土起こし器本体の背面側の位置に支点用パイプを設けた土起こし器において、
前記突刺し刃を備えた刃物部材を土起こし器本体と別体に形成し、この刃物部材を土起こし器本体に対して取外し可能に固定するようにしたことを特徴とする土起こし器。
【請求項２】
上記複数本の突刺し刃は、並列状に配置された状態で、その上端を横長となる上部フラットバーに固定し、並列する各突刺し刃の背面側途中の位置を横長となる下部アングル材で固定することにより、土起こし器本体と別体の刃物部材を形成し、この刃物部材を土起こし器本体に固定するため、前記土起こし器本体の下端側に、前記上部フラットバーを重ねた状態でボルト結合するための上側取付け部材と、前記下部アングル材を重ねた状態でボルト結合するための下側取付け部材を設け、前記上側取付け部材が上部フラットバーの前端に対する荷重支持片を備えていることを特徴とする請求項１に記載の土起こし器。
【発明の詳細な説明】
【技術分野】
【０００１】
この発明は、梃子の原理を利用して、畑の土起こしや野菜の掘り出しが楽に行うことができるようにした土起こし器に関する。
【背景技術】
【０００２】
一般的に用いられている土起こし器は、パイプを用いて前後に長い枠状に形成した土起こし器本体の先端に幅方向の踏桟を設け、この踏桟の前面に、複数本が並列状態で前方に突出する突刺し刃を設け、前記土起こし器本体の先端側下部から突刺し刃の下部にわたる位置に支点用パイプを設けた構造になっている。
【０００３】
このような土起こし器で畑の土起こしや野菜の掘り出しを行うには、土起こし器本体を保持して土起こし器全体を略垂直にした状態で突刺し刃を地面に突刺し、踏桟に足をかけて体重を加え、突刺し刃をその根元部分まで地中に挿入し、この状態で土起こし器本体を手前に引っ張るようにすると、地面に接触した支点用パイプを支点として土起こし器が傾斜状となり、前記支点用パイプの接地部分を支点とする梃子の原理により、土起こし器全体を水平の方向に軽い力で押下げることができる。
【０００４】
このように、土起こし器全体を水平の方向に倒すと、前記支点用パイプの接地部分を支点として上昇回動する突刺し刃は土を持ち上げ、土起こしや野菜の掘り起こしが行えることになる。
【０００５】
ところで、従来の土起こし器は、土起こし器本体の先端に設けた踏桟の前面に、複数本が並列状態で前方に突出する突刺し刃を溶接により固定した構造になっていた（例えば、特許文献１参照）。
【先行技術文献】
【特許文献】
【０００６】
【特許文献１】意匠登録第１３７５３２２号公報
【発明の概要】
【発明が解決しようとする課題】
【０００７】
従来の土起こし器のように、土起こし器本体の先端に設けた踏桟の前面に、複数本が並列状態で前方に突出する突刺し刃を溶接により固定した構造であると、突刺し刃が破損したり磨耗すると土起こし器全体が使用できなくなり、極めて不経済であるという問題がある。
【０００８】
また、土起こしを行う畑には固い土質や柔らかい土質等の違いがあり、土起こし器は突刺し刃が土質に応じた構造のものを用いることが必要であり、このため、土質の違いに対応するには、突刺し刃の異なる複数種類の土起こし器を用意しなければならないという問題がある。
【０００９】
そこで、この発明の課題は、土起こし器を土起こし器本体と突刺し刃に分け、突刺し刃を土起こし器本体に対して着脱可能にボルトで固定し、突刺し刃の取換えを可能にすることで、突刺し刃が破損したり磨耗しても土起こし器本体はそのまま使用することができ、しかも、土質の違いに対して適応した突刺し刃を選択して使用することができる土起こし器を提供することにある。
【課題を解決するための手段】
【００１０】
上記のような課題を解決するため、この発明は、土起こし器本体の先端に複数本が並列状態で突出する突刺し刃を設け、前記土起こし器本体の背面側の位置に支点用パイプを設けた土起こし器において、前記突刺し刃を備えた刃物部材土起こし器本体と別体に形成し、この刃物部材を土起こし器本体に対して取外し可能に固定するようにしたものである。
【００１１】
上記複数本の突刺し刃は、並列状に配置された状態で、その上端を横長となる上部フラットバーに固定し、並列する各突刺し刃の背面側途中の位置を横長となる下部アングル材で固定することにより、土起こし器本体と別体の刃物部材を形成し、この刃物部材を土起こし器本体に固定するため、前記土起こし器本体の下端側に、前記上部フラットバーを重ねた状態でボルト結合するための上側取付け部材と、前記下部アングル材を重ねた状態でボルト結合するための下側取付け部材を設け、前記上側取付け部材が上部フラットバーの前端に対する荷重支持片を備えている構造とすることができる。
【００１２】
ここで、上記土起こし器本体は、金属パイプを長いコ字状に折り曲げたフレームの両側並行杆の先端間に、アングル材を用いた上側取付け部材を固定して形成され、上記支点用パイプは、金属パイプの先端側を弧状に屈曲させた形状を有し、上端を両側並行杆の下面に溶接することにより下端を前方に向けて前記上側取付け部材の下部後方に位置するような配置となり、両側支点用パイプは弧状屈曲部分の近くが横パイプで結合され、この横パイプと前記上側取付け部材が補強板で結合されている。
【００１３】
上記上側取付け部材は、アングル材を使用することで前側に位置させた一辺が荷重支持面となり、また、下側取付け部材は、フラットな金属板を用い、両側支点用パイプの下端間に架設固定されている。
【００１４】
上記刃物部材は、各突刺し刃が、金属板を用いて前後に長い帯板状で下部先端が尖る形状に形成され、上部フラットバーと下部アングル材は、上側取付け部材に上部フラットバーを重ねた状態で、下側取付け部材の前面に下部アングル材が重なる位置関係になっている。
【発明の効果】
【００１５】
この発明によると、土起こし器本体と刃物部材を別体とし、土起こし器本体に対して刃物部材を取外し可能に固定するようにしたので、刃物部材は使用により破損したり磨耗すると新たなものとの交換が可能になり、土起こし器本体はそのまま繰り返し使用できるので、極めて経済的である。
【００１６】
また、土起こしをせんとする土質の種類に応じた複数種類の刃物部材を用意しておくことにより、土質に適応した刃物部材を選択して用いるようにすることで、効果的な土起こし作業が行えることになる。
【００１７】
更に、土起こし器本体に対する刃物部材の固定において、土起こし器本体に設けた上側取付け部材と下側取付け部材の二箇所に固定するようにしたので、刃物部材で土起こしをしたときに、刃物部材に下側取付け部材を支点として加える押下げ力を上側取付け部材の荷重支持片で伝えることができ、これにより、土起こし器本体に対する刃物部材の固定部分に、土起こし作業に十分耐えることができる強度が得られることになる。
【図面の簡単な説明】
【００１８】
【図１】（ａ）はこの発明に係る土起こし器の側面図、（ｂ）は同背面図
【図２】この発明に係る土起こし器の分解斜視図
【図３】この発明に係る土起こし器の土起こし器本体と刃物部材の結合部分の構造を示す拡大した縦断側面図
【発明を実施するための形態】
【００１９】
以下、この発明の実施の形態を図示例と共に説明する。
【００２０】
図示のように、この発明に係る土起こし器１は、土起こし器本体２と、この土起こし器本体２と別体に形成された刃物部材３と、前記土起こし器本体２の先端側下部から刃物部材３の下部に位置するよう、土起こし器本体２の背面で両側に固定された一対の支点用パイプ４とからなり、前記土起こし器本体２に対して刃物部材３を着脱自在に固定することにより、刃物部材３の取換えが可能になっている。
【００２１】
なお、この発明の土起こし器１における説明において、土起こし器１の上下方向とは、図１（ａ）と（ｂ）のように、刃物部材３を下にして土に突き刺すときの垂直姿勢を基準にし、刃物部材３の下端側を先端としている。
【００２２】
上記土起こし器本体２は、アルミや鋼管、ステンレス等の金属パイプを用い、これを上下に長いコ字状に折り曲げて上端のグリップ部２ａと両側並行杆２ｂからなるフレーム２ｃとし、前記フレーム２ｃにおける両側並行杆２ｂ、２ｂの先端間に、アングル材を用いた上側取付け部材５を固定して形成されている。
【００２３】
なお、土起こし器本体２は、図示のようなフレーム２ｃをコ字状に折り曲げた形状に限るものではなく、例えば、両端がグリップとなる水平のハンドルパイプに、上下方向に長い一対の両側並行杆を固定したフレームの構造を採用してもよい。
【００２４】
上記支点用パイプ４は、金属パイプの下端側を前方へ弧状に屈曲させた形状を有し、上端を両側並行杆２ｂの背面に溶接固定することにより下端の弧状屈曲部分が、前記上側取付け部材５に対して、下方後部に位置するような配置となり、両側支点用パイプ４は弧状屈曲部分に近い途中の位置が互いに横パイプ６で結合され、この横パイプ６と前記上側取付け部材５が補強板７で結合されている。
【００２５】
上記上側取付け部材５は、アングル材を使用することで前縁から下向きに屈曲する一辺が荷重支持片５ａとなり、また、上記両側支点用パイプ４、４の下端間に、フラットな金属板を用いた下側取付け部材８が垂直の配置で架設固定されている。
【００２６】
上記刃物部材３は、複数本の突刺し刃９と上部フラットバー１０及び下部アングル材１１で構成され、前記各突刺し刃９が、金属板を用いて上下に長い帯板状で下部先端が尖る形状に形成され、各突刺し刃９は所定間隔で並列状に配置された状態で、その上端が横長となる上部フラットバー１０の下面に下方へ突出するよう固定され、並列する各突刺し刃９の下部途中で背面側の位置が横長となる下部アングル材１１に固定され、前記上部フラットバー１０と下部アングル材１１は、図３に示すように、上側取付け部材５の下面に上部フラットバー１０を重ねた状態で、下側取付け部材８の前面に下部アングル材１１が重なる位置関係になっている。
【００２７】
上記土起こし器本体２に対する刃物部材３の固定は、上部フラットバー１０と上側取付け部材５の重なり部分及び、下部アングル材１１と下側取付け部材８の重なり部分のそれぞれ複数箇所を、ボルト、ナット１２で締結することにより行い、このようなボルト、ナット１２での締結により、土起こし器本体２に対して刃物部材３が着脱自在となり、刃物部材３の取換えが行えることになる。
【００２８】
図示の場合、刃物部材３は、５本の突刺し刃９を用い、中央の突刺し刃が最も下方に突出し、両外側の突刺し刃が短くなる形状としたが、前記突刺し刃９の本数、板厚、長さ等は、土起こしを行う土質の種類に対応するように設定すればよい。
【００２９】
この発明の土起こし器１は、上記のような構成であり、次に、この土起こし器１を用いた土起こし方法を説明する。
【００３０】
土起こし器１で畑の土起こしや野菜の掘り出しを行うには、土起こし器本体２の下端側に刃物部材３を固定して土起こし器１を組立てた状態で、土起こし器本体２のグリップ部２ａを握り、土起こし器１全体を図１のように略垂直にして突刺し刃９を地面に突刺し、上側取付け部材５と補強板７の上に足をかけて体重を加え、突刺し刃９をその根元部分まで地中に挿入し、この状態で土起こし器本体２を手前に引っ張るようにすると、地面に接触した支点用パイプ４、４を支点として土起こし器１が傾斜状となり、前記支点用パイプ４、４の接地部分を支点とする梃子の原理により、土起こし器１全体を水平の方向に軽い力で押下げることができる。
【００３１】
このように、土起こし器１全体を水平の方向に倒すと、前記支点用パイプ４、４の接地部分を支点として上方に向けて回動する突刺し刃９は土を持ち上げ、これにより、土起こしや野菜の掘り起こしが行えることになる。
【００３２】
この発明の土起こし器１は、土起こし器本体２に別体の刃物部材３をボルト結合した構造になっているので、上記突刺し刃９で土を持ち上げるとき、土起こし器本体２によって前記突刺し刃９に、下側取付け部材８で支持された部分を支点として、上端側を押下げる力を加えることになるが、図３のように、このような押下げ力は上部フラットバー１０の前端が当接する上側取付け部材５の荷重支持片５ａで加えることができ、これにより、土起こし器本体２と刃物部材３の固定構造に、土起こし作業に耐えることのできる十分な強度が得られることになる。
【００３３】
また、刃物部材３の突刺し刃９に損傷や磨耗が生じたり、土起こしをせんとする部分の土質の変化に対応する刃物部材３を使用するには、ボルト、ナット１２を操作することで刃物部材３を土起こし器本体２に対して取り替えるようにすればよく、土起こし器本体２はそのまま長期にわたる使用が可能になる。
【符号の説明】
【００３４】
１          土起こし器
２          土起こし器本体
２ａ        グリップ部
２ｂ        両側並行杆
２ｃ        フレーム
３          刃物部材
４          支点用パイプ
５          上側取付け部材
５ａ        荷重支持片
６          横パイプ
７          補強板
８          下側取付け部材
９          突刺し刃
１０        上部フラットバー
１１        下部アングル材
１２        ボルト、ナット
【図１】
2013085526.tif 000003
【図２】
2013085526.tif 000004
【図３】
2013085526.tif 000005